(57)【要約】  容器１２、およびそれに取り付けられるキャップ４を含むパッケージが提供される。容器２は、開いた端部８および閉じた端部６を有し、開いた端部８は、肩部１４によって取り囲まれる分注開口１２を有する。一対の第１のバトレス１６およびバトレス１８が、肩部１４に成型され、開口１２を二分する断面長軸に沿って配置される。また、一対の第２のバトレス２０およびバトレス２２が、肩部１４に成型され、開口１２を二分する短軸に沿って配置される。バトレス１６、バトレス１８、バトレス２０、およびバトレス２２のそれぞれは、開口１２から遠ざかるように下方にテーパが付いている上縁部２４、上縁部２６、上縁部２８、および上縁部３０を有する。第２のバトレスの上縁部２８および上縁部３０は、第１のバトレスの上縁部２４および上縁部２６よりも急峻なテーパ角を有する。キャップ４は、フィットメントの縁部５２にヒンジ連結される蓋４６を含み、フィットメントは、スカート壁５６によって取り囲まれるプラットフォーム５４、およびプラットフォーム５４に形成される製品出口オリフィス５８を有する。プラットフォームの下面に、オリフィス５８を取り囲み、下方に突出する４本の脚部６０があり、各脚部は、非対称に形成され、隣接する第１のバトレス１６、第１のバトレス１８、第２のバトレス２０および第２のバトレス２２の間に嵌着される。
2010523409.tif 000002
【特許請求の範囲】
【請求項１】
（ａ）第２の端部（８）が、分注開口（１２）、および開口（１２）を取り囲む肩部（１４）を有し、肩部（１４）に成型された一対の第１のバトレス（１６）およびバトレス（１８）が、開口を二分する容器の断面長軸に沿って配置され、肩部（１４）に成型された一対の第２のバトレス（２０）およびバトレス（２２）が、開口（１２）を二分する容器の断面短軸に沿って配置され、第１のバトレス（１６）およびバトレス（１８）と、第２のバトレス（２０）およびバトレス（２２）とのそれぞれが、開口（１２）から遠ざかるように下方にテーパが付いている上縁部（２４）および上縁部（２６）と、上縁部（２８）および上縁部（３０）とを有し、第２のバトレスの上縁部（２８）および上縁部（３０）が、第１のバトレスの上縁部（２４）および上縁部（２６）よりも急峻なテーパ角を有する、閉じた第１の端部（６）、および第１の端部の反対側にありかつ流動性製品を分注するための第２の端部（８）を有する、容器（２）と、
（ｂ）容器の第２の端部（８）に取り付けられるキャップ（４）であって、フィットメントの縁部（５２）にヒンジ連結される蓋（４６）を含み、フィットメント（５０）が、スカート壁（５６）によって取り囲まれるプラットフォーム（５４）を有し、製品出口オリフィス（５８）が、開口（１２）に連通しているプラットフォーム（５４）に形成され、プラットフォーム（５４）が、オリフィス（５８）を取り囲みかつ下方に突出する４本の脚部（６０）を備える下面を有し、各脚部が、非対称に形成され、隣接する第１のバトレス（１６）、第１のバトレス（１８）、第２のバトレス（２０）および第２のバトレス（２２）の間に嵌着される、キャップ（４）と  
を備える、パッケージ。
【請求項２】
外側へ突出し、開口（１２）を少なくとも部分的に取り囲む連結レッジ（６８）をさらに備える、請求項１に記載のパッケージ。
【請求項３】
肩部が、変化する曲率を有する上面を有し、容器の前面および後面（４２）の短軸（４０）に沿った部分が、長軸に沿った部分よりも開口（１２）からより大きな垂直距離がある、請求項１に記載のパッケージ。
【請求項４】
各バトレス（１６）、バトレス（１８）、バトレス（２０）、およびバトレス（２２）には、それぞれの上縁部（３２）、上縁部（３４）、上縁部（３６）、および上縁部（３８）から遠ざかるように傾斜する２つの勾配が形成され、勾配角は、第２のバトレス（２０）およびバトレス（２２）に比して第１のバトレス（１６）およびバトレス（１８）に対しての方がより大きい、請求項１に記載のパッケージ。
【請求項５】
キャップ（４）が、ゴム層（７０）で被覆されているその表面の少なくとも一部に親指くぼみ領域（７２）を有する、請求項１に記載のパッケージ。
【請求項６】
容器の第１の端部（６）が、容器を直立させることができない、請求項１に記載のパッケージ。
【請求項７】
第１のバトレスの上縁部（３２）および上縁部（３４）が、５°から４０°までの範囲にあるテーパ角を有する、請求項１に記載のパッケージ。
【請求項８】
第２のバトレスの上縁部（３６）および上縁部（３８）が、４５°から８０°までの範囲にあるテーパ角を有する、請求項１に記載のパッケージ。
【発明の詳細な説明】
【技術分野】
【０００１】
本発明は、薄型のフリップトップキャップであるクロージャが装着されている容器を有するパッケージに関する。
【背景技術】
【０００２】
卵形断面や楕円形断面のパッケージは人気がある。本願発明者らは、本明細書において、そのようなパッケージを卵形体（ｏｖａｌｏｉｄ）と呼ぶ。これは、特に、化粧水、スキンクリーム、毛髪スタイリング助剤、コンディショナー、およびシャンプー、ならびに歯科用製品などのパーソナルケア製品に使用される。消費者アピールは、より容易な容器の把持性、および、たびたびの片手によるクロージャの開栓性にあるとされる。また、ねじキャップを有する伝統的な円形容器と違って、楕円形や卵形の形状は、生産者／小売商人の利益をも有する。卵形体のパッケージの正面から見た仕上げ面は、より大きな表面積を有する。それによって、ブランドの、プロモーションの、および他のメッセージが、さらに多く目に見え、買物客を引きつける。
【０００３】
審美的理由により多くの卵形体は、容器とキャップとの間の肩部の破断部をなくしている。換言すれば、容器の首部および肩部は、オーバーキャップのスカートの下に隠される。このカムフラージュは、垂直に比較的に長いプロファイルのスカートを必要としている。審美的な、機能的な、および環境上の不利益がある。現代の設計は、クロージャプロファイルを最小にする方向に向かっている。また、薄型クロージャは、印刷のためのさらに多くの容器表面を残すことにもなる。結局、環境面への配慮が、パッケージのプラスチックの量を削減することを求めている。クロージャは、プラスチック削減ソースである可能性を有するパッケージの一部である。
【０００４】
米国特許第６，８３７，４０５  Ｂ２号明細書（Ｒａｉｎｅｙら）は、従来技術の例示であり、ここでは、容器は、楕円形断面の長軸に沿って一対のバトレスを有する。これらのバトレスは、容器の分注開口の両側にあり、キャップを固定するために使用される。さらに、バトレスは、トップロードに対する十分な構造的耐力を容器に与える。
【先行技術文献】
【特許文献】
【０００５】
【特許文献１】米国特許第６，８３７，４０５  Ｂ２号明細書
【発明の概要】
【発明が解決しようとする課題】
【０００６】
本発明の目的は、容器の開口の周りに適切に固定されることができ、審美性の向上、製造上の利益、およびプラスチック使用の削減を含む１つまたは複数の利益を与えることができる薄型のフリップトップキャップを提供することである。
【課題を解決するための手段】
【０００７】
（ａ）第２の端部が、分注開口、および開口を取り囲む肩部を有し、肩部に成型された一対の第１のバトレス（ｂｕｔｔｒｅｓｓ）が、開口を二分する容器の断面長軸に沿って配置され、肩部に成型された一対の第２のバトレスが、開口を二分する容器の断面短軸に沿って配置され、第１のバトレスおよび第２のバトレスのそれぞれが、開口から遠ざかるように下方にテーパが付いている上縁部を有し、第２のバトレスの上縁部が、第１のバトレスの上縁部よりも急峻なテーパ角を有する、閉じた第１の端部、および第１の端部の反対側にありかつ流動性製品を分注するための第２の端部を備える、容器と、
（ｂ）容器の第２の端部に取り付けられるキャップであって、フィットメントの縁部にヒンジ連結される蓋を含み、フィットメントが、スカート壁によって取り囲まれるプラットフォームを有し、製品出口オリフィスが、開口に連通しているプラットフォームに形成され、プラットフォームが、オリフィスを取り囲みかつ下方に突出する４本の脚部を備える下面を有し、各脚部が、非対称に形成され、かつ隣接する第１のバトレス、第１のバトレス、第２のバトレスおよび第２のバトレスの間に嵌着される、キャップと
を含む、パッケージが提供される。
【０００８】
本発明の容器は、プラスチックボトル、トトル（ｔｏｔｔｌｅ）（キャップの上面に載る逆さに立っているパッケージ）、およびチューブ（熱などで分注端部の反対側の端部でシールされる）を含む。容器に利用されるプラスチックは、高密度または低密度のポリエチレン、ポリプロピレン、ポリエチレンテレフタレート、およびポリアミドを含むことができる。ポリエチレン樹脂が最も好ましい。本発明のキャップは、類似のプラスチック材料から形成され得るが、好ましい樹脂はポリプロピレンである。本発明の態様では、バイインジェクションや他のプロセスによるキャップの領域は、異なる感触性を有するプラスチックの外層を含むことができる。親指インプリント領域の部分に付着されるプラストマ層が、特に好ましい。この領域は、人間の指による圧力を加えてキャップの蓋を開けることになっている。プラストマは、１ｇ／１０分から５ｇ／１０分までのメルトフローレート、および１５００ｐｓｉから３０００ｐｓｉまでの引張り強さを有することができる。有用なプラストマは、Ｅｘｘｏｎ  Ｃｈｅｍｉｃａｌ  ＣｏｍｐａｎｙからＥｘａｃｔ  ４０３３として市販のエチレンの共重合体、およびＣ３−Ｃ２０α−オレフィンである。
【０００９】
容器の肩部を画定する上面は、変化する曲率を有することが好ましい。容器の前面および後面の短軸に沿った部分は、下向きの凸曲率を有する。これにより、短軸に沿ったこれらの部分については、長軸に沿ったこれらの部分についてよりも分注開口からより大きな垂直距離になる。
【００１０】
分注開口を通る水平面に対する第１のバトレスの上縁部のテーパ角は、５°から４０°まで、より好ましくは８°から３５°まで、最適には１０°から２５°までの範囲にあることが好ましい。第２のバトレスの上縁部のテーパの対応する角度は、４５°から８０°まで、より好ましくは５０°から７５°まで、最適には５５°から７０°までの範囲にあることが好ましい。バトレスのそれぞれには、上縁部から遠ざかるように傾斜する２つの勾配が形成される。第１のバトレスについての勾配角は、第２のバトレスについてよりも大きい。
【００１１】
連結レッジが、外側へ突出し、ボトルの分注開口を少なくとも部分的に取り囲む。好ましい実施形態では、連結レッジは、バトレスによって４つの象限に区分される。
【００１２】
スカート壁の内向きに面する表面のキャップ内に、二対のガイドレールがある。各対のガイドレールは、スカート壁に沿って他の一方の反対側に配置される。また、これらのレールは、突出する脚部と同じ方向に下方に湾曲するスカート壁の部分に隣接する。ガイドレールは、キャッピングマシーン内でキャップを嵌め込む際に役に立つ。さらに、これらのレールは、補強材の作用を与えることによってスカート壁の後成形の変形を防止する。
【００１３】
水平に配向される内側に突出するリッジやビードが、４本の脚部のそれぞれの内面での特徴とされる。これらのリッジやビードは、分注口の周りに連結レッジに係合する。これらは、容器へのキャップの固締を確実にする連結レッジのアンダカットの中にパチンと嵌まる。
【００１４】
本発明の他の特徴、利点、および目的は、次の図面を考慮することにより一層明らかになるであろう。
【図面の簡単な説明】
【００１５】
【図１】容器の閉じた位置における薄型キャップを示す、本発明の一実施形態の前平面図である。
【図２】キャップを取り除いた場合の図１に示される容器の図である。
【図３】図２に示される実施形態の頂平面図である。
【図４】第１の実施形態による蓋を開いた場合のキャップの透視図である。
【図５】第１の実施形態によるキャップの底平面図である。
【図６】図５に示される実施形態の断面図である。
【発明を実施するための形態】
【００１６】
図１は、本発明の第１の実施形態である。この図は、流動性製品のレセプタクルとして役立つ容器２と、キャップ４とを含むパッケージを例示している。容器は、閉じられる第１の端部６と、流動性製品の分注を可能にするように開いている第２の端部８とを有する。閉じた第１の端部のところの容器の外面は、丸みのある構造を有し、その結果、パッケージがその表面に沿って直立することを不可能にする。その代わりに、トトルとして知られている形式のパッケージが、キャップの平坦な上面１０で直立する。他の実施形態（図示せず）では、容器は、キャップの上ではなくてボトルの平坦な底面で直立する伝統的なボトルであり得る。
【００１７】
図２は、容器の第２の端部に沿った重要な構造を示す。特に、円形の分注開口１２が、容器を垂直に通過する長軸Ｚに沿って中心に置かれる。肩部１４が分注開口を取り囲む。
【００１８】
図２および図３は、肩部に形成され、互いに１８０°反対側に配置される一対の第１のバトレス１６およびバトレス１８を示す。また、同様に肩部に形成される一対の第２のバトレス２０およびバトレス２２も存在する。これらの第２のバトレスはまた、互いから１８０°離れ、第１のバトレスのいずれかからそれぞれ９０°離れた分注開口に沿って配置される。この対の第１のバトレスおよび第２のバトレスはそれぞれ、分注開口を二分する長軸Ｘおよび短軸Ｙに沿っている。
【００１９】
第１のバトレスおよび第２のバトレスはそれぞれ、開口から遠ざかるように下方にテーパが付いている上縁部２４および上縁部２６と、上縁部２８および上縁部３０とをそれぞれ有する。第２のバトレスの上縁部２８および上縁部３０は、第１のバトレスの上縁部２４および上縁部２６よりもより急峻なテーパ角を有する。
【００２０】
バトレスのそれぞれは、２つの勾配がそれらのそれぞれの上縁部から遠ざかるように傾斜する状態で形成される。例えば、第１のバトレス１６は、上縁部２６で開始して互いから遠ざかるように傾斜する勾配３２および勾配３４を有する。同様な形で、第２のバトレス２２は、上縁部２８で開始して互いから遠ざかるように傾斜する勾配３６および勾配３８を有する。第１のバトレスの勾配の勾配角は、第２のバトレスの勾配の勾配角よりも大きい。換言すれば、第１のバトレスは、より幅広く広がる第２のバトレスのそれよりも一層細長いフットプリントを有する。
【００２１】
肩部１４は、変化する曲率の上面から形成される。容器の前（および後）面４２の短軸に沿った肩部の部分４０は、長軸に沿った部分４４（距離ｄ２）よりも分注開口からより大きな垂直距離ｄ１のところにある。
【００２２】
図４は、開いた位置のキャップ４を例示する。蓋４６は、フィットメントの縁部５２に沿ってフィットメント５０にヒンジ４８によって連結される。フィットメントは、スカート壁５６によって取り囲まれるプラットフォーム５４を含む。製品出口オリフィス５８が、プラットフォーム５４に形成され、分注開口１２に連通する。
【００２３】
図５および図６は、プラットフォームの底面を例示する。４本の脚部６０がそこから突出している。これらは、出口オリフィスを取り囲む。各脚部は、非対称に形成され、第１のバトレスと第２のバトレスとの間に嵌着する。各脚部６０の内面６２は、出口オリフィスに向かって内側に突出する短いバーまたはビード６４を有する。２組のガイドレール５９ａおよびガイドレール５９ｂと、ガイドレール６１ａおよび６１ｂとが、スカート壁５６の内向きに面する表面から内側に突出する。
【００２４】
フィットメントおよび容器は、次の方法で係止的に接続される。等しい４つのセグメント内の連結レッジ６８が、外側に突出し、分注開口１２を少なくとも部分的に取り囲む。取り付けには、容器の肩部１４の上にフィットメント５０を配置することが必要である。下向きの圧力が、脚部６０を、下向きに、かつ４つのバトレスのそれぞれの勾配の両側に沿って貫入させる。また、この下向きの運動は、脚部を外側に撓ませ、その結果、バー６４がレッジ６８を通り過ぎて摺動することを可能にする。次いで、レッジ６８のアンダカットが、バーの上面を捕らえて、フィットメント（またその結果、キャップ）で容器を共に嵌着する。
【００２５】
蓋４６を開く容易さは、親指くぼみ７２に沿ったゴム層７０の存在によって助けられる。ゴム層は、周囲のプラスチック壁の色と異なる色であることが好ましい。このことは、親指くぼみが蓋を開くための圧力レバー（ｌｅｖｅｒ）として容易に認識されることを可能にする。ゴム層は、キャップと共にバイインジェクションされ得る。適切なゴム層は、容器やキャップが形成されるプラスチックよりも通常柔らかいプラストマである。
【図１】
2010523409.tif 000003
【図２】
2010523409.tif 000004
【図３】
2010523409.tif 000005
【図４】
2010523409.tif 000006
【図５】
2010523409.tif 000007
【図６】
2010523409.tif 000008
【国際調査報告】
2010523409.tif 000009
2010523409.tif 000010
2010523409.tif 000011